(57)【特許請求の範囲】
【請求項１】
予め設定された設定値に対する測定信号の測定値の大小関係に基づいて、測定信号の異常の有無を、画面上の測定点番号領域毎にアラーム情報として表示するアラーム表示装置であって、
各測定点番号領域には、それぞれアラーム発生の有無を表示する第１の表示手段と、過去のアラーム発生を表示する第２の表示手段とを設け、
これら第１,第２の表示手段はアラームが発生することにより同時にアラーム状態を表示し、第１の表示手段のアラーム表示状態はアラーム状態の解除と連動して解除され、第２の表示手段のアラーム表示状態は画面上の該当する測定点番号領域が指定確認されるまで継続することを特徴とするアラーム表示装置。
【請求項２】
各測定点番号領域の第１の表示手段と第２の表示手段は同心円状に設けられ、第２の表示手段は点滅表示されることを特徴とする請求項１記載のアラーム表示装置。
【請求項３】
各測定点番号領域の第２の表示手段はリング状に形成されるとともに円周方向に沿って複数個に分割され、これら分割片は選択的に点滅表示されることを特徴とする請求項１または２記載のアラーム表示装置。
【請求項４】
画面上の該当する測定点番号領域の確認手段としてマウスを用いることを特徴とする請求項１〜３のいずれかに記載のアラーム表示装置。
【発明の詳細な説明】
【０００１】
【発明の属する技術分野】
本発明は、計測器やプロセス制御システムなどにおいて用いられる、予め設定された設定値に対する測定信号の測定値の大小関係に基づいて測定信号の異常の有無をアラーム情報として表示するアラーム表示装置に関するものである。
【０００２】
【従来の技術】
例えばプロセス制御システムにおける操作卓でのアラーム状態監視にあたっては、アラームの状態を監視者が常に観察することを要求されているが、現実には一瞬の隙間もなく観察し続けることはできない。
したがって、例えば一時的にアラームが発生したもののすぐに正常状態に回復した場合には、アラームの発生を見逃す危険性が高かった。
従来のアラーム表示装置の一例を図４に示す。従来例では、１８点の測定点のうち、現在Ｎｏ．０５がアラーム発生状態であることを示している。具体的には、アラームが発生していない測定点の表示色は例えばグリーンになっているが、アラームが発生しているＮｏ．０５は赤と黒のチェック模様になっている。
【０００３】
【発明が解決しようとする課題】
しかし、図４のような従来のアラーム表示装置では、現時点でのアラーム状態はわかるが、過去にアラームが発生していたかどうかは全く確認することができない。
【０００４】
本発明はこのような問題点に着目したものであり、その目的は、現時点のみならず過去においてもアラームが発生していたかどうかを表示状態から確認できるアラーム表示装置を実現することにある。
【０００５】
【課題を解決するための手段】
本発明の請求項１は、
予め設定された設定値に対する測定信号の測定値の大小関係に基づいて、測定信号の異常の有無を、画面上の測定点番号領域毎にアラーム情報として表示するアラーム表示装置であって、
各測定点番号領域には、それぞれアラーム発生の有無を表示する第１の表示手段と、過去のアラーム発生を表示する第２の表示手段とを設け、
これら第１,第２の表示手段はアラームが発生することにより同時にアラーム状態を表示し、第１の表示手段のアラーム表示状態はアラーム状態の解除と連動して解除され、第２の表示手段のアラーム表示状態は画面上の該当する測定点番号領域が指定確認されるまで継続することを特徴とする。
これにより、一時的にアラームが発生してすぐに正常状態に回復した場合であっても、第2の表示手段によるアラーム表示状態は監視者が画面上の該当する測定点番号領域のその表示を指定確認するまで継続しているので、従来のようにアラームの発生を見逃すことはない。
【０００６】
本発明の請求項２は、請求項１記載のアラーム表示装置において、各測定点番号領域の第１の表示手段と第２の表示手段は同心円状に設けられ、第２の表示手段は点滅表示されることを特徴とする。
これにより、過去のアラーム発生状態の識別度を高めることができる。
【０００７】
本発明の請求項３は、請求項１または２記載のアラーム表示装置において、各測定点番号領域の第２の表示手段はリング状に形成されるとともに円周方向に沿って複数個に分割され、これら分割片は選択的に点滅表示されることを特徴とする。
これにより、過去のアラーム発生状態をより一層ダイナミックに表示することができる。
【０００８】
本発明の請求項４は、請求項１〜３のいずれかに記載のアラーム表示装置において、画面上の該当する測定点番号領域の確認手段としてマウスを用いることを特徴とする。
これにより、監視者が過去のアラーム発生状態を表示している測定点番号領域の第１の表示手段または第２の表示手段の近傍にマウスカーソルを移動させてクリックするだけで、特別な操作を伴うことなく確認が行える。
【０００９】
【発明の実施の形態】
以下、図面を用いて本発明を説明する。
図１は本発明の一実施例を示した構成図であり、図４と同様に１８点の測定点の例を示している。
各測定点には、アラーム発生の有無を表示する第１の表示手段１と過去のアラーム発生を表示する第２の表示手段２が同心円状に設けられている。ここで、第２の表示手段２はリング状に形成されるとともに円周方向に沿って複数個に分割されている。なお、第２の表示手段２の分割片はアラームが発生した時にのみ選択的に点滅表示されるものであり、アラームが発生していない状態では表示されない。
【００１０】
図１において、測定点Ｎｏ．０３，  Ｎｏ１７は現在アラーム発生状態であることを示し、測定点Ｎｏ．０３，  Ｎｏ．０９，  Ｎｏ１１，  Ｎｏ．１３，  Ｎｏ１５，  Ｎｏ１７は過去にアラームが発生したことを示し、他は過去も現在もアラームが発生していないことを示している。
【００１１】
図２はアラーム発生状態の点滅表示例図であり、（ａ）は第１の表示手段１が例えば全面赤色に表示されて第２の表示手段２は明るさの異なる黄色が交互に表示され、（ｂ）は第１の表示手段１が例えば赤と黒のチェック状に表示されて第２の表示手段２は明るさの異なる黄色が（ａ）を反転した状態で交互に表示される。
【００１２】
第２の表示手段２の点滅表示は、監視者が図示しないマウスカーソルを該当する測定点番号領域に移動させてクリックすることにより解除される。
【００１３】
図３は本発明のアラーム表示装置における表示処理の流れを示すフローチャートである。
【００１４】
なお、アラーム表示動作の解除手段として、マウスの代わりにタッチパネルを用いてもよい。
【００１５】
【発明の効果】
本発明によれば、過去のアラーム状態を示す第２の表示手段を付加しているので、監視者は常に画面を監視していなくても第２の表示手段の表示状態から過去のアラーム状況を把握することができる。
また、過去のアラーム状態を示す表示手段を現在のアラーム状態を示す表示手段の周りに配置して交互に点滅させることにより、監視者に分かりやすく過去のアラーム状態を知らせることができる。
【図面の簡単な説明】
【図１】本発明の一実施例を示した構成図である。
【図２】本発明の具体的な表示例である。
【図３】本発明の表示処理の流れを示すフローチャートである。
【図４】従来のアラーム表示装置の構成を示した図である。
【符号の説明】
１  第１の表示手段
２  第２の表示手段
【図１】
0003572604.tif 000002
【図２】
0003572604.tif 000003
【図３】
0003572604.tif 000004
【図４】
0003572604.tif 000005